(57)【要約】  両側で互いの方へ折り曲げることができる翼部が取り付けられた中心本体部を有するシート材料。咬合ブロックの翼部は、中心本体部に隣接する折り曲げ線に沿って互いの方へ折り曲げられ、歯科手技中に患者の口腔を開口した状態に支持するために咬合する構造を提供する。口腔内の視認性を改善するために、中心本体部に鏡面を設置してもよい。片側咬合ブロックの実施形態において、片側咬合ブロックは口腔の片側だけに置かれる。咬合ブロックは安価に作製することができ、使い捨てである。
2013526966.tif 000002
【特許請求の範囲】
【請求項１】
対向する終端部を有する中心部と、
前記中心部の前記対向する終端部のそれぞれに一体化して取り付けられる可撓性翼部と
を含む、片側咬合ブロックであって、
前記中心部は実質的に歯の幅である寸法を有し、
これにより歯科手技中に患者の口腔を開口した状態に支持するために、前記可撓性翼部を折り曲げて、前記中心部を患者の口腔の片側にのみ上下の歯の間の位置に設置することができる、片側咬合ブロック。
【請求項２】
前記中心部の寸法が０．２５〜１．００インチまたは０．６３〜２．５４ｃｍである、請求項１に記載の片側咬合ブロック。
【請求項３】
前記中心部に設置される鏡をさらに含む、請求項１に記載の片側咬合ブロック。
【請求項４】
前記中心部および前記可撓性翼部は、発泡体コアを有する複合材料を含む、請求項１に記載の片側咬合ブロック。
【請求項５】
前記中心部の前記対向する終端部のそれぞれに隣接して付けられる折り曲げ線もさらに含み、
これにより前記可撓性翼部を互いの方へ折り曲げることができる、請求項１に記載の片側咬合ブロック。
【請求項６】
中心本体部および一対の翼部を有する平坦な材料シートであって、前記一対の翼部は曲線縁を有する、平坦な材料シートと、
前記一対の翼部それぞれと前記本体部との間に付けられる折り曲げ線と
を含む、片側咬合ブロックであって、
前記一対の翼部それぞれと前記本体部の間に付けられる前記折り曲げ線の間の前記中心本体部の寸法が実質的に歯の幅と等しく、
これにより歯科手技中に患者の口腔を開口した状態に支持するために、前記一対の翼部を互いの方へ折り曲げて、前記中心部を患者の口腔の片側にのみ上下の歯の間の位置に設置することができる、片側咬合ブロック。
【請求項７】
前記中心本体部の寸法が、０．２５〜１．００インチまたは０．６３〜２．５４ｃｍである、請求項６に記載の片側咬合ブロック。
【請求項８】
前記平坦なシートは発泡体コアを有する複合材料を含む、請求項６に記載の片側咬合ブロック。
【請求項９】
前記平坦なシートの少なくとも一つの面に設置される鏡をさらに含む、請求項６に記載の片側咬合ブロック。
【請求項１０】
前記鏡は薄膜鏡を含む、請求項９に記載の片側咬合ブロック。
【請求項１１】
前記平坦なシート材料の端部に沿って設置される吸収性材料をさらに含む、請求項６に記載の片側咬合ブロック。
【請求項１２】
前記中心本体部の端部に設置される緩衝手段もさらに含む、請求項６に記載の片側咬合ブロック。
【請求項１３】
前記緩衝手段が複数の切断部を含む、請求項１２に記載の片側咬合ブロック。
【請求項１４】
歯科手技で使用するための片側咬合ブロックであって、
裏材、反射材料、および前記裏材と前記反射材料とを分離する発泡体コアを含む複合シート材料であって、前記複合シート材料が中心本体部と一対の隣接する翼部とを有し、前記一対の隣接する翼部のそれぞれ一方が、前記中心本体部の側面に一体化して形成され、前記中心本体部および前記一対の翼部が、横軸に沿って対称的な形状を有している、複合シート材料と、
前記裏材に形成される少なくとも２本の折り曲げ線であって、前記少なくとも２本の折り曲げ線のそれぞれ１本が、前記中心本体部と前記一対の隣接する翼部の一方との間に形成される、少なくとも２つの折り曲げ線と
を含む、片側咬合ブロックであって、
前記中心本体部が実質的に歯の幅の寸法を有し、
これにより前記反射材料による分離と改善された視認性を提供するために、前記一対の隣接する翼部のそれぞれ一方が、前記中心本体部の方へと折り曲げられ、前記中心本体部が前記患者の口腔の片側にのみ上下の歯の間の位置に設置される、
歯科手技で使用するための片側咬合ブロック。
【請求項１５】
前記中心本体部の寸法が０．２５〜１．００インチまたは０．６３〜２．５４ｃｍである、請求項１４に記載の歯科手技で使用するための片側咬合ブロック。
【請求項１６】
前記中心本体部は縦軸に沿って対称的な形状を有する、請求項１４に記載の歯科手技で使用するための片側咬合ブロック。
【請求項１７】
前記中心本体部の端部に設置される緩衝手段もさらに含む、請求項１４に記載の歯科手技で使用するための片側咬合ブロック。
【請求項１８】
前記緩衝手段は複数の部分的外側切断部を含む、請求項１７に記載の歯科手技で使用するための片側咬合ブロック。
【請求項１９】
前記裏材は吸収性材料を含む、請求項１４に記載の歯科手技で使用するための片側咬合ブロック。
【請求項２０】
前記吸収性材料内に含まれる化学的吸収剤もさらに含む、請求項１９に記載の歯科手技で使用するための片側咬合ブロック。
【発明の詳細な説明】
【技術分野】
【０００１】
本発明は、一般的に歯科用器具に関し、具体的には、歯科手技中の開口を維持するための、咬合ブロックとしても知られる開口器に関するものであり、特に、患者の口腔内の４分の１で作業する場合に使われる片側咬合ブロックに関するものである。
【背景技術】
【０００２】
歯科用開口器、すなわち咬合ブロックは、患者の口を比較的固定された位置に開口したまま維持するために、患者の口腔内の上顎歯と下顎歯の間に挿入する器具である。これにより、歯科予防、歯内治療、歯科矯正、歯周治療、および修復治療のような歯科治療の態様を含むがこれらに限定されない歯科手技を行うために口腔内にアクセスすることが可能となる。
【０００３】
咬合ブロックは、歯科専門家に開口のサイズに対する一定の管理手段を提供することから、歯科専門家による施行の効率性と容易性の向上をもたらす。咬合ブロックは、一般的な患者がブロックに歯牙を載せている間に顎の筋肉を弛緩させることができるため、患者に快適性をもたらす。これは特により長時間にわたる歯科手技では有益である。
【０００４】
咬合ブロックは、１９７９年１２月２５日にＨｏｆｆｍａｎが“Ｄｅｎｔａｌ  Ｄｅｖｉｃｅ”という名称で公開した米国特許第４１７９８１５号にて開示されている。上記明細書には、本体部、咬合ブロック部、および舌が歯牙の舌側面の方へ動くのを制限する舌遮蔽部を有する歯科用器具が開示されている。
【０００５】
別の歯科用器具は、１９８５年４月１６日にＤｉａｍｏｎｄが“Ｍｏｉｓｔｕｒｅ  Ｃｏｎｔｒｏｌｌｉｎｇ  Ｌｉｎｇｕａｌ  Ｄｅｎｔａｌ  Ｍｉｒｒｏｒ”という名称で公開した米国特許第４５１１３２９号にて開示されている。上記明細書には、水分調整を行い、かつ下顎歯の舌側面を観察するための鏡を有する、口角鉤用の舌保持装置および舌支持部が開示されている。
【０００６】
別の歯科用器具は、２００１年７月３１日にＢａｒｓｔｏｗが“Ｄｅｎｔａｌ  Ｐｒｏｐ，  Ｔｈｒｏａｔ  Ｄａｍ  ａｎｄ  Ｒｅｔｒａｃｔｏｒ”という名称で公開した米国特許第６２６７５９１号にて開示されている。上記明細書には、舌圧排面、スロートダム、およびグリップ部を有する一体化した口唇圧排面が開示されている。開口器部は、歯牙が咬合するように適合させた、角度の付いた咬合面を有する。舌圧排面には反射材料が取り付けられている。
【発明の概要】
【発明が解決しようとする課題】
【０００７】
こうした従来の歯科用器具は、歯科手技の補助においてそれぞれの所期の機能を果たしているが、これらは比較的大型で製造に費用がかかる。さらに、相互汚染の可能性を防止するため、使用する患者毎にこれらの器具を滅菌しなければならない。従って、患者の口腔内の視認性を高める単純で安価な咬合ブロックが必要とされている。
【０００８】
更に、口腔の一部または４分の１のみで作業するとき、口腔内に容易に置くことができる、より小さな咬合ブロックが必要となる。
【課題を解決するための手段】
【０００９】
本発明は、被験者または患者の口腔内部へのアクセスが必要となる歯科手技および一般的な医学的手技および審美手技で使用するための歯科用咬合ブロックを含む。本咬合ブロックは、患者が開口した状態で歯牙を載せておくための快適な開口器を提供する。好適な実施形態において、咬合ブロックは、本体部から伸長して幅が広くなっていく可撓性翼部を両側に有する、対称的な本体部を含む。咬合ブロックは、片面に鏡面仕上げと、発泡体コアと、反対面に平滑な白色紙とを有する複合材料または構造材料で製造してもよい。
【００１０】
また、患者の口腔に適合するように可撓性翼部の角度を調整するため、本体部に隣接して折り曲げ線を付けてもよい。
【００１１】
咬合ブロックのその他の実施形態は、舌を圧排することができる中心本体部を備えた対称構造であって、前記中心本体部が先細りとなって、上顎歯列と下顎歯列とを載せておくことが可能な２つの対称的な鞍形部を形成している、対称構造を含む。
【００１２】
実施形態はさらに、鞍形部に取り付けられた翼部であって、調整が行えるように可撓性を有してもよい翼部も含む。患者は、鞍形部とその翼部の接合部を咬合してもよい。
【００１３】
さらなる実施形態は、増強された照明だけでなく、歯牙と歯肉の内側、舌側または後面の視野も歯科専門家にもたらす反射面または鏡面を中心本体部に含む。照明は、周囲光の反射によっても、口腔に差し込む光によっても、または咬合ブロックに取り付けられた光源から提供してもよい。さらなる実施形態は、口腔の内腔から唾液を除去することができる吸収性材料を含む。
【００１４】
さらに、実施形態は、歯科診療所に一般的に設置されている真空装置と接続した場合に、歯科手技中に口腔内に堆積し得る多量の唾液、血液、ならびにその他の残留液体および粒子状物質を除去するための吸引を行うことができる吸引器具を含む。
【００１５】
別の実施形態は、以下の構造のいずれかを含んでもよい。開口器が両側タイプで、迅速かつ簡単な設置が可能な、本明細書に記載の歯科用装置。
【００１６】
開口器が薄型で、口腔内の作業スペースを広くすることができる、本明細書に記載の歯科用装置。
【００１７】
両側開口器が互いに補完して安定性をもたらす、本明細書に記載の歯科用装置。
【００１８】
筋肉の応力を口腔の両側に均等に分散させる両側咬合ブロックを組み込む歯科用装置。
上顎前歯または下顎前歯の舌側面を表示するガラス製、プラスチック製またはステンレス鋼製の鏡を支持する、本明細書に記載の歯科用装置。
【００１９】
口腔内の多くの上顎および下顎前歯および後方歯の舌側面を表示できるように垂直方向および水平方向に角度を調整することができる鏡を支持する歯科用装置。
【００２０】
鏡が前記歯牙および口腔領域を照射することができる、前記歯科用装置。
鏡の下部が鏡の中心から下に伸長していることで、下側または下顎歯の視野が広くなるとともに、上側または上顎歯の舌側面の視野が望まれる場合は器具全体を術者が反転させることができるように、鏡が成形されている、前記歯科用装置。
【００２１】
プラスチック材料で製造する場合に防曇面でコーティングしてもよい鏡を有する歯科用装置。
【００２２】
片面の通常の鏡と反対面の拡大鏡の両方を固定する、前記歯科用装置。
【００２３】
照明源の組み込まれたまたは取り付けられた本体部を有してもよい歯科用装置。
【００２４】
舌圧排方法を提供する、前記歯科用装置。
【００２５】
舌圧排能によって口腔前庭内の水分量を減少させる、前記歯科用装置。
【００２６】
舌圧排能によって上顎または下顎前歯後方の作業領域の大きさを増大させる、前記歯科用装置。
【００２７】
器具の設置を容易にし、器具が飲み込まれるのを防止する翼部が取り付けられた、前記歯科用装置。
【００２８】
口腔内の頬圧排を行う翼部が取り付けられた、前記歯科用装置。
【００２９】
口唇の圧排を行う翼部を有する、前記歯科用装置。
【００３０】
片側咬合ブロックの他の実施形態は、口腔内の一部又は４分の１で作業する場合に特に適合される。この実施形態では、歯の幅よりわずかに広い面積がある本体部分と結合して、カーブ又は丸い左右対称形が、用いられる。この実施形態の咬合ブロックは、患者の口腔の片側に置かれる。
【００３１】
本発明の目的は、歯科手技中の口腔内の視認性を向上させることである。
【００３２】
本発明の別の目的は、舌の圧排を提供することである。
【００３３】
本発明のさらなる目的は、安価な使い捨て器具を提供することである。
【００３４】
本発明の実施形態のさらなる目的は、口腔の４分の１のみの部分で作業をしている場合に、口腔の２分の１のみを分離する片側咬合ブロックを提供することである。
【００３５】
本発明の利点は、種々の大きさの口腔に対応するように翼部が調整可能な点である。
【００３６】
本発明の利点は、向きに関係なく口腔内に設置してよい点である。
【００３７】
本発明の実施形態のさらなる利点は、口腔内の更に後方に設置してよい点である。
【００３８】
本発明の特徴は、縦軸および横軸がいずれも対称である点である。
【００３９】
本発明の特徴は、片面に鏡面または高反射面を使用している点である。
【００４０】
本発明の別の特徴は、可撓性翼部を有する点である。
【００４１】
本発明のさらに別の特徴は、発泡体コアを備えた複合構造を有する点である。
【００４２】
本発明の実施形態の別の特徴は、片側咬合ブロックが歯の幅より少しだけ大きい幅のある本体部を有する点である。
【００４３】
これらおよびその他の目的、利点および特徴は、以下の詳細な説明を参照することでより容易に明らかになるであろう。
【図面の簡単な説明】
【００４４】
【図１Ａ】患者の口腔内への本発明の一実施形態の設置を示す正面概略図である。
【図１Ｂ】患者の口腔内への本発明の設置を示す、図１Ａの線１Ｂ−１Ｂに沿って切断した場合の断面図である。
【図２Ａ】折り曲げられていない平坦な状態の本発明の後面平面図である。
【図２Ｂ】折り曲げられていない平坦な状態の本発明の正面平面図である。
【図２Ｃ】図２Ｂの線２Ｃ−２Ｃに沿って切断した場合の断面図である。
【図３】本発明の別の実施形態の斜視図である。
【図４Ａ】種々の翼部構成の上面平面図である。
【図４Ｂ】種々の翼部構成の上面平面図である。
【図４Ｃ】種々の翼部構成の上面平面図である。
【図４Ｄ】種々の翼部構成の上面平面図である。
【図５】本発明の別の実施形態の斜視図である。
【図６】本発明の一実施形態の凹面を有する翼部を示す概略図である。
【図７】本発明の一実施形態の凸面を有する翼部を示す概略図である。
【図８】本発明の一実施形態の二分岐アームを有する翼部を示す概略図である。
【図９】本発明の一実施形態の部分的な緩衝材を有する翼部を示す概略図である。
【図１０】本発明の一実施形態の調整可能な幅を有する翼部を示す概略図である。
【図１１】本発明の一実施形態の複数の咬合用切断部を有する翼部を示す概略図である。
【図１２】本発明の一実施形態の咬合用緩衝部を有する翼部を示す概略図である。
【図１３】本発明の一実施形態の真空管が取り付けられた本体部を示す概略図である。
【図１４】本発明の一実施形態のコットンロールが取り付けられた本体部を示す概略図である。
【図１５】本発明の一実施形態のコットンロール取付アームを有する本体部を示す概略図である。
【図１６】本発明の一実施形態のコットンロール受容窪みを有するアーム部を示す概略図である。
【図１７】本体部に開口部が形成されており、かつ口腔内の後臼歯膨隆部に設置するように適合された本発明の別の実施形態を示す概略図である。
【図１８】口腔内深部の後臼歯膨隆部に設置するように適合された本発明の別の実施形態を示す概略図である。
【図１９Ａ】本発明の片側咬合ブロックの実施形態の患者の口腔内への設置を示す正面概略図である。
【図１９Ｂ】本発明の片側咬合ブロックの実施形態の患者の口腔内への設置を示す、図１９Ａの線１９Ｂ―１９Ｂに沿って切断した場合の断面図である。
【図２０Ａ】折り曲げられていない平坦な状態の本発明の片側咬合ブロックの実施形態の正面平面図である。
【図２０Ｂ】折り曲げられていない平坦な状態の本発明の片側咬合ブロックの実施形態の後面平面図である。
【図２０Ｃ】折り曲げられていない平坦な状態の本発明の片側咬合ブロックの実施形態の上面平面図である。
【図２０Ｄ】本発明の片側咬合ブロックの実施形態の斜視図である。
【図２１】本発明の片側咬合ブロックの別の実施形態の斜視図である。
【図２２】本発明の片側咬合ブロックのさらに別の実施形態の斜視図である。
【図２３Ａ】折り曲げられていない平坦な状態の本発明の片側咬合ブロックの別の実施形態の正面平面図である。
【図２３Ｂ】折り曲げられていない平坦な状態の本発明の片側咬合ブロックの別の実施形態の後面平面図である。
【図２３Ｃ】折り曲げられていない平坦な状態の本発明の片側咬合ブロックの別の実施形態の上面平面図である。
【発明を実施するための形態】
【００４５】
極めて一定した開口を維持する手段を提供することは、種々の歯科手技および口腔外科手技（以下、歯科手技と総称する）を施行する歯科専門家および医療従事者にとって有益となり得る。開口した状態での長時間の治療は疲れるものであり、関連する顎の筋肉を疲労させる原因となるため、患者は自然な反応として口を閉じたくなる。
【００４６】
本明細書では、患者の疲労を軽減しながら比較的一定した開口を維持するための装置および手段を提供する。さらには、舌の圧排のみならず、唾液等の過剰な液体の除去も可能である。またさらには、歯牙、歯肉および口腔全体の内部の視野を提供する鏡面も使用することができる。
【００４７】
図１Ａは、患者の口腔内に設置された本発明の実施形態の正面図を示す。咬合ブロック１０は、歯牙１４を保持して口腔１２を開口した状態に維持するために、口腔１２内に設置される。咬合ブロック１０は、中心本体部１６と、本体部１６の両側から伸長する翼部１８を有する。歯牙１４は翼部１８によってブロックされて開口した状態となる。翼部１８は、本体部１６の平面に対して傾斜して設置されてもよい。本体部１６および翼部１８は、前歯の裏側または舌側領域の視認性と結像を向上させるために、鏡面または高反射面を有してもよい。
【００４８】
図１Ｂは、患者口腔内に設置された本発明の実施形態の断面図を示す。翼部１８は、患者の頬を保護し、歯科医療従事者に隔離された作業領域を提供できるように、両側とも角度が付けられている。歯牙１４は、本体部１６に隣接する翼部１８の一部によって分離されており、舌１５は本体部１６の裏側の口腔の後方に圧排され、歯科手技中の干渉を防止している。
【００４９】
図２Ａ〜図２Ｃは、本発明の咬合ブロック１０の実施形態の形状と構造をより明確に示す。図２Ａおよび図２Ｂの咬合ブロック１０は、平坦なまたは折り曲げられていない状態で示されている。咬合ブロック１０は、両側面に対向する翼部１８が取り付けられている一般的に長方形をした中心本体部１６を有する複合シート材料を含む。両側面に隣接して折り曲げ線または切り込み線２０があり、この切り込み線２０に沿って翼部１８を互いの方へと折り曲げてもよい。
【００５０】
図２Ａは、咬合ブロック１０の背部または後部を示す。翼部１８は、横方向の寸法または幅が増大しており、終端部２２へと伸長して角度の付いた側端部２４を形成している。
【００５１】
図２Ｂは、本体部１６および翼部１８に反射面または鏡面２６を有する咬合ブロック１０の正面部分を示す。面２６は反射性の白色面であっても、結像鏡面であってもよい。好ましくは、前記面は結像鏡面であり、図１Ａに示すように歯牙の高品質の結像を提供する。
【００５２】
図２Ｃは、図２Ａの線２Ｃ−２Ｃに沿って切断した場合の断面図である。図２Ｃは、咬合ブロック１０の複合構造を示す。発泡体コア２８は、片面に紙の裏材３０を有しており、反対面には、結像に使用する薄型の高反射性フィルム材料２６がある。この複合構造が強力で安価な咬合ブロック１０を提供する。
【００５３】
図３には別の実施形態を示す。本器具は、両側に２つの対称的な鞍形部３２を有する中心本体部１６’を含む。中心本体部１６’は口腔内の舌領域に設置される。これは典型的には、口腔の片側の下顎第一大臼歯／第二小臼歯領域から、口腔の反対側の対応する領域に設置してよい。開口に対する全軸方向の設置角度は、歯科専門家が必要とするアクセスに応じて調整してよい。
【００５４】
鞍形部３２は、開口した口腔の左側と開口した口腔の右側にそれぞれ一方の鞍形部３２が位置するように設置される。すると、片側の上顎歯列と下顎歯列が、それぞれ鞍形部３２の上側と下側を咬合することになる。口腔の反対側でも同じことが当てはまる。鞍形部３２からは、切り込み線２０’に沿って折り曲げられた翼部1８’が一定の角度で伸長している。本体部１６’は上部本体部３４と下部本体部３６を有するが、これらは用途に応じて必ずしも対称である必要はない。
【００５５】
図３に示したのは、一実施形態の一般的な形状である。一般的に、咬合ブロック１０ａの寸法は、口腔内への設置に対応するのに必要な寸法であってよく、そのため一般的なヒトまたは動物の解剖学的構造に準じてよい。実施形態は、小児、成人、男性、女性、大柄、中柄、小柄といった種々のヒトの口腔サイズに適合するようにサイズを調整してもよい。種々の折り曲げ線または切り込み線を位置決めまたは設置することで、サイズ調整可能な実施形態を提供してもよい。一実施形態の一般的な形状は、両側の鞍形部３２に向かって先細りに下降していく中心本体の上部（すなわち最高部）と、これに対応して両側の鞍形部３２へと先細りに上昇していく下部（すなわち最低部）を有してよい。実施形態は、連続した材料片としてすべてが１つの材料から製造されてもよければ、あるいは複数種類の材料から製造されてもよい。端部は四角形であってもよければ、あるいは快適性を提供するために円形であってもよい。中心本体部１６’から鞍形部３２までの先細り角度は、９０度であってもよければ、あるいは本体から鞍形部までの高さに差が出るような一定の角度であってもよい。
【００５６】
一実施形態の典型的な寸法は、全長が約２４ｍｍ、幅または高さが４０ｍｍ、本体部が２４〜３７ｍｍであってよい。口腔内での使用に適したその他の寸法範囲を使用してもよい。厚さは、使用する材料の剛性と強度に応じて０．６０ｍｍ〜４ｍｍの間で変動してもよい。
【００５７】
実施形態を構築するのに使用する材料は、口腔内での使用に適することが一般的に知られている生体適合性材料に由来するものであってよい。このような材料は、プラスチック、織物、厚紙および／またはその他の紙製品、キャンバスボード、フォームボード、ラミネート、接着剤、金属（例えば、ステンレス鋼、アルミニウム、銅、およびその他の口腔内での使用に適した金属）、ならびに前述の全材料の各種組み合わせであってよいが、これらに限定されない。材料は、使い捨て可能な実施形態となるように選択してもよければ、あるいは実施形態またはその一部を滅菌して再利用できるように選択してもよい。
【００５８】
図４Ａ〜図４Ｄは、種々の形状または角度の翼部を示す。本体部１６は、鈍角に折れ曲がった翼部１８ａを有しても、先端が折れ曲がった翼部１８ｂ、直角に折れ曲がった翼部１８ｃ、または裏側に折れ曲がった翼部１８ｄを有してもよく、翼部は用途と必要性に応じて種々の形状に折り曲げてよい。
【００５９】
図５は、咬合ブロック１０ｂの別の実施形態を示す。図５には、本体部１６’、翼部１８、および鞍形部３２を含めた咬合ブロック１０ｂの周囲または端部に設置された緩衝材３８が示されている。緩衝材３８は、患者にさらなる快適性を提供し、摩擦を防止する。緩衝材３８は、発泡体、綿、またはその他の同等の材料といったいずれの軟質材料から製造してもよい。患者に快適性を提供するため、鞍形部は、圧縮材料、または発泡体、コルク、織物、紙もしくはゴムといった一定の種類の緩衝性被覆材で被覆してもよい。
【００６０】
一般的に、翼部の寸法は、患者の口腔サイズによってのみ制限される。翼部は可撓性を有してよく、その場合は、上下の頬および口唇を一定程度圧排することが可能な特定の角度で設置できるように取り付けられる。
【００６１】
図６〜図９は翼部の種々の形状を示す。翼部は直線型であってもよければ、先細り型であっても、幅が広くなってもよい。翼部をより快適性の高いものにするため、または翼部と接触する口唇等の組織を保護するため、翼部は、圧縮材料、またはゴム、コルク、紙もしくは発泡体といったその他の可撓性材料で覆ってもよければ、その他の方法で全体または一部を包んでもよい。
【００６２】
図６および図７は、本体部１６’に取り付けられ、かつ円形の端部を提供するように一定程度丸められた翼部１８ｅおよび１８ｆを示す。図６に示すように、翼部１８ｅは、上下口唇をとらえて圧排するように凹形の形状をしていてもよい。また、図７に示すように、翼部１８ｆは凸形の形状をしていてもよい。
【００６３】
図８は、翼部１８ｇの終端、すなわち鞍形部との取付部と反対側の終端が、上下口唇を圧排または保持する圧排アーム４０を提供するように、一般的には半円形状または三日月形状にくり抜いてもよければ、あるいはその他の方法で製造してもよいことを示している。特定の実施形態において、三日月形または半円形の部分は、口唇とより良好に適合して口唇を圧排するように、翼部の近位端に着脱可能であってよい。
【００６４】
図９は、緩衝材３８ａで被覆された部分を有するアーム１８ｈの終端を示す。緩衝材３８ａは発泡体、コルク、ゴム、またはその他の同等の材料であってよいため、口唇を保護し、より快適性が高い。
【００６５】
図１０〜図１２は、調整可能性または快適性を提供するように種々の鞍形部を有するその他の実施形態を示す。図１０は、咬合調整切り込み線４２と鞍形部切断部４４を備えた鞍形部３２ａを有する本体部１６’を示す。鞍形部３２ａにはアーム１８ｉが取り付けられている。咬合調整切り込み線４２と鞍形部切断部４４を組み合わせることで、鞍形部３２ａの上部を咬合調整切り込み線４２に沿って折り曲げることが可能となる。これにより、必要に応じて歯牙間の距離を調整することができる咬合調整機能が提供される。
【００６６】
図１１は緩衝機能を提供する別の実施形態を示す。本体部１６’には、鞍形部３２ｂの上部および下部に複数の細切断溝または切断部４６が形成された鞍形部３２が取り付けられている。鞍形部３２ｂにはアーム１８ｊが取り付けられている。細切断溝または切断部４６は、咬合時にいくらかの弾力性または適合性を提供し、より快適性の高い咬合ブロックを提供する。
【００６７】
従って、鞍形部３２ｂは調整可能であってよく、これにより、鞍形部３２ｂの上部および下部（上部は中心本体部の最高部に相当し、下部は中心本体部の最低部に相当する）は、咬合面間距離または咬合距離を調整するために、折り曲げてもよければ、あるいはその他の方法で丸めたり、折り曲げてもよい。この調整は歯科専門家が行ってよい。さらに、患者は、鞍形部領域、および鞍形部と翼部とを接続する接合部を咬合することで、広範な口腔サイズを提供してもよい。
【００６８】
図１２は、緩衝材３８ｂが載せられている鞍形部３２ｃを示す。鞍形部３２ｃは、本体部１６’と翼部１８ｋの間にある。緩衝材３８ｂは、患者が咬んだときにさらなる快適性を提供する。
【００６９】
特定の歯科手技儀では、唾液、ならびに血液または歯科手技により生じる粒子状物質といった口腔内の液体を口腔から除去することが望ましい。口腔には顎下腺および舌下腺の唾液管が含まれ、これらは舌根と下顎前歯との間の領域に流入する。咬合ブロックの使用中にこの唾液またはその一部を除去するのが望ましい。
【００７０】
この望ましくない量の唾液は、歯科作業および歯科治療の妨げとなることがあり、単に舌を圧排するだけで最小限に低減することができる。舌が特定の腺または受容細胞と接触し、これらを刺激して唾液を流出させるだけでなく、舌が機械的に唾液管を圧迫している場合は圧排することによって、口腔前庭内の唾液の量を決定してもよい。本咬合ブロックの実施形態は、口腔内に吸引を適用することができる配管に取り付けてもよい。
【００７１】
図１３〜図１６は、水分調整を行う本発明の種々の実施形態を示す。
【００７２】
図１３は、隣接領域からの液体を吸引することができる穴部または類似の手段を有する、咬合ブロック１０ｃの中心本体部１６’に取り付けられた配管を示す。この配管または真空管５０は、歯科診療所に備えられている典型的な真空装置に接続してよい。配管はコイル状に巻かれていてよい。図中には、コイル状に巻かれていない吸引管または真空管５０が示されている。配管または真空管５０は、本体伸長部４８に取り付けられている。本体部１６’には、部分的な鏡面２６’があり、翼部１８’が取り付けられている。
【００７３】
さらに、唾液およびその他の液体または粒子状物質の除去は、真空装置や吸引装置を使用せずに行ってもよい。図１４〜図１６は、水分調整にコットンロールを使用した種々の実施形態を示す。
【００７４】
図１４は、本体部１６’から伸長する本体伸長部４８にコットンロール５２が取り付けられた咬合ブロック１０ｄを示す。翼部１８’は本体部１６’から伸長する。本体部１６’および取り付けられた翼部１８’は反射面を有しても、鏡面を有してもよい。
【００７５】
図１５は、本体部１６’に取り付けられたアーム５４に、長手方向の孔５８を有するコットンロール５６が摺入している咬合ブロック１０ｅを示す。翼部１８’は本体部１６’から伸長する本体部１６’および取り付けられた翼部１８’は反射面を有しても、鏡面を有してもよい。
【００７６】
図１６は、コットンロール５２の外周を受容するための窪み６０が本体部１６’と翼部１８’に隣接して形成された咬合ブロック１０ｆを示す。
【００７７】
図１４〜図１６に示すように、コットンロール、ウェファー、または歯科手技の分野で一般的に知られているその他の吸収性材料は、咬合ブロックに、典型的には中心本体部の最低部に取り付けてよい。これらの吸収性材料を所定の位置に保持するには、種々の方法を使用してよく、例えば、接着剤、中心本体部の切込み、中心本体部の最低部のフィンガーもしくはトング、または内部が中空になっているロールを受容する図１５に示した保持用中心アームを使用してよい。さらに、図１６に追加で示すような窪みを使用してもよい。
【００７８】
本発明において、器具の中心本体部は、典型的にはその形状と設置から舌圧排機能を提供する。一般的には、舌と患者の口腔の開口部との間に中心本体部が設置されると、舌は奥に位置して、中心本体部の背面を圧迫する。舌の圧排は多くの歯科手技で有用であり得る。
【００７９】
しかし、特定の例、例えば術者が第一大臼歯と第二大臼歯を隔離することを望み、咬合ブロックを後臼歯膨隆上、全歯牙の裏側に設置するのに十分に後方へ舌を圧排できない場合には、咬合ブロックの改良が必要な場合がある。
【００８０】
図１７および図１８は、患者の口腔内のさらに後ろ側への設置に対応できる咬合ブロックを示す。図１７および図１８に示す実施形態は、完全に舌を圧排するものではない。
【００８１】
図１７は、舌用開口部６２とより長い翼部１８’を備えた本体部１６’を有する咬合ブロック１０ｇを示す。本体部１６’が口腔内のさらに奥に達する場合は、この舌用開口部６２から舌を出すことができる。
【００８２】
図１８は、患者口腔内のさらに奥へ、または後臼歯膨隆上に設置するための咬合ブロックの別の実施形態を示す。咬合ブロック１０ｈは、舌の部分的な圧排を可能にする複数の折り曲げ部分を有する。本体部２１６は、両側から伸長する内側翼部２１８ｂを有する。内側翼部２１８ｂと外側翼部２１８ａとの間には後臼歯部２６４が配置されている。
【００８３】
以上において本発明の咬合ブロックの特定の好適な実施形態を図示および説明してきたが、種々の実施形態には種々の機能の組み合わせを組み入れてよい。特定の実施形態は、中心本体部の全体または一部に鏡面またはその他の反射面を含んでよい。典型的には、患者の口腔内に咬合ブロックを設置した時に、上顎または下顎の前歯と歯肉の舌側面が反射を介して歯科専門家に表示されるように、この面は中心本体部の正面部分に取り付けられる。鏡面を使用すると、歯科手技の施行中に追加の歯科用鏡を使用する必要性を減らすか、またはなくすことができる。一般的に鏡面は、本明細書に記載する全てまたはほぼ全ての実施形態で使用してよい。
【００８４】
歯科専門家、歯科医、または歯科衛生士によっては、習慣から、鏡付きの開口器または咬合ブロックのほかに、自身が日常的に使用している歯科用鏡を使用することを望む場合もある。器具がさらなる照明を反射するだけでなく、舌を圧排して、口腔の安定した開口とともに、水分量が少なく舌のない広い作業領域を提供することから、これは結構なことである。
【００８５】
鏡面は、一般的に反射性と生体適合性を有する材料から製造してよく、これらは、（通常または拡大）ガラス、研磨スチール、反射性ポリマー（例えば、アクリル樹脂、反射性金属、および反射特性を有することが当該技術分野で一般的に知られているその他の材料）であってよい。
【００８６】
鏡を有する実施形態も、有さない実施形態も、歯科専門家が口腔の内部領域を視認しやすくなるように口腔内に光を照射する照明光源を含んでよい。このような照明光源は、発光ダイオード（ＬＥＤ）または当該技術分野で一般的に知られているその他の光源であってよい。
【００８７】
一般的に、咬合ブロックの構造は、種々の実施形態に応じて変化してよい。構造および材料は、全てプラスチックであっても、薄い接着性の鏡面仕上げのプラスチックであっても、典型的には厚さ約０．２ｍｍでプラスチック製のフィルムである、通常製造の鏡であっても、厚紙またはその他の紙製品であっても、薄型鏡面フィルム付きの厚紙であっても、キャンバスボードであっても、フォームボードであっても、金属（例えば、ステンレス鋼、アルミニウム、銅、またはその他の金属）であっても、あるいは前述の全てからなる種々の組み合わせであってもよい。鏡は、片面が通常の鏡で、反対面が拡大鏡であってもよい。使用する所望の鏡の配置するために、翼部を折り曲げてもよい。
【００８８】
本明細書に記載する種々の実施形態は、患者の口腔の内側へのアクセスが必要となる歯科手技の施工中に使用してもよい。典型的な用途では、患者は舌を口蓋に置き、可能な限り強く咬合しないようにゆっくりと咬合するように指示されるか、または同様の指示を受ける。
【００８９】
いくつかの実施形態は舌圧排能を有することができるが、舌の開口部を備えた実施形態を作製してもよい。これにより、舌の圧排に制限されることなく、器具を第二大臼歯のさらに後ろ側もしくは後方へ、または後臼歯膨隆上に設置することが可能となる。また、こうした口腔内のさらに後ろ側への設置を可能にする可撓性の「クロスピース」を備えた咬合ブロックを作製してもよい。
【００９０】
種々の実施形態を使用すると、固定された鏡を提供することができ、視認性における利便性がもたらされるだけでなく、光反射、デュアル開口器、舌圧排、頬／口唇圧排、水分調整、通常鏡および拡大鏡による視野ももたらされる。
【００９１】
種々の実施形態は、開口器として使用してよい。開口器または咬合ブロックとして使用する実施形態は、鏡付きの中心本体部を備えてもよければ、備えていなくてもよい。２つの支持構造部を同時に咬合すると、開口が維持され、患者が意識的に開口を維持しようとしなくても、楽に咬合することができる。本両側咬合ブロックの実施形態は、一度に比較的迅速かつ簡単に設置することができる。また、さらなる安定性と快適性のために、片側が反対側を固定する。両側咬合ブロックの実施形態は使い捨てであってもよい。
【００９２】
また、実施形態は舌の上または下に位置してもよく、舌圧排能を有しても有さなくてもよく、必要に応じてラバーダム上で使用してもよく、鏡を取り付けて使用しても、取り付けずに使用してもよい。実施形態は前方の内側、上側または下側で使用してもよい。本器具は片側タイプのものはないため、筋肉への応力はほぼ均等に分散される。
【００９３】
種々の実施形態は、舌圧排子として使用してよい。実施形態は、術者が追加の口腔支持物にそれほど妨げられず、それによって舌圧排の利点をより自由に活用できるような形で、口腔内の舌圧排または固定を提供する。舌圧排の使用は、口腔の下側前歯の舌側領域をより乾燥した状態に維持する助けにもなる。舌圧排により舌を邪魔にならない場所に保持することで、口腔の下側前歯領域、下側正面領域にはるかに広い作業スペースがもたらされる。本発明の舌圧排実施形態は、典型的には患者にとって快適なものであり、設置が容易であり、実際に口腔外部品と干渉することがなく、はるかに安定しており、術者はそばに立って圧排子を把持する必要がない。さらに、本発明の実施形態は、患者が嚥下しても実質的に動かない。
【００９４】
舌が圧排されると、この領域、すなわち口腔底内の唾液流量が少なくなる。口腔底内の舌の動きによって、唾液腺の受容体が刺激され、唾液が分泌されると考えられており、従って、舌が圧排され、この動きが妨げられれば、唾液の流量は少なくなる。本発明の実施形態は、必要に応じて、器具の裏面に吸引管もしくはコットンロールもしくはコットンウェファーを取り付けるための、または器具の最低部の正面に向かって伸長するための、かなり安定した面を提供する。これは、舌下の唾液管および顎下の唾液管の領域で有用となり得る。本器具の下部に取り付ける軟質のコットンロールまたはウェファーは、これらの管に直接、極めて軽く力をかけて載せてもよい。
【００９５】
本発明の実施形態は視認性も助ける。鏡を有する実施形態は、患者に口をごくわずかに開けさせた後、閉じさせることによって、鏡器具を容易に上下に傾斜させ、上顎または下顎の前歯のいずれかの舌側面の良好な視野を提供することができる。
【００９６】
また一方で、使用者は、これと同じ方法で、鏡器具を左右に傾斜させて、小臼歯の舌側、ならびに第一大臼歯の上顎および下顎、上側および下側の歯列弓／歯牙のより広い視野を提供することもできる。両面鏡は、正面すなわち片面に通常面または等倍面を有し、反対面すなわち裏面に拡大面を有してもよく、あるいはその逆であってもよい。所望のようにいずれかの鏡面を使用できるように、いずれかの方向を向くように翼部を折り曲げてもよい。
【００９７】
鏡は、咬合ブロックの中心本体部品またはその他の構成要素に取り付けても、またはその他の方法で追加してもよければ、あるいは、例えば、咬合ブロックが本質的に反射性を有する材料で構成され、反射面を追加する必要がない場合には、咬合ブロックに一体化させてもよい。
【００９８】
また、さらなる視野または照明を得るため、翼部自体に鏡面を取り付けてもよい。鏡は薄いフィルムから作製してよく、またＰｌａｓｋｏｌｉｔｅという商標名で販売される、約０．０６０インチまたは約０．０８０インチまたは約０．２ｍｍまたは約１．５ｍｍのプラスチック材料またはアクリルシートで作製してもよい。
【００９９】
固定された鏡は２つの面を有するため、鏡の正面は通常面または等倍面であって、反対面が拡大面であってよい。この両面鏡器具の翼部は、鏡のどちらの面を活用するかに応じて、前または後ろに、前方または後方に折り曲げてよい。
【０１００】
鏡を取り付けた実施形態は、多くの歯科手技に使用することができる。例えば、鏡を備えた本発明は、上側または下側前歯の舌側副子の設置で使用してもよい。副子の主な目的は、歯牙が弛緩するのを防止するために歯牙をまとめることによって、歯牙を補強することである。副子は歯牙と適合されて固定しなければならず、ほとんどの場合は視認が極めて困難な舌側から、下側正面領域で使用されることが最も多い。
【０１０１】
本発明を使用しない場合は、通常の歯科用鏡を片手で把持する必要があった。本発明は、上顎もしくは下顎の歯列矯正保定装置の設置もしくはセメント固定、小窩裂溝填塞材の塗布、または歯冠等の印象採得前における歯肉組織下への舌圧排コードの充填に使用してもよい。
【０１０２】
舌圧排はこの領域を乾燥状態に維持するのを助け、鏡は視野と照明を提供するとともに、両手の自由をもたらす。本発明は、インプラントの視認および設置、良好な舌側視野の提供、ならびに照度の増加に使用してもよい。上側または下側前歯の歯内手技では、本発明の実施形態が舌入口部の視野を提供するだけでなく、領域の乾燥も助ける。こうした状況では、歯科医は通常ラバーダムを使用するが、本発明の実施形態はラバーダムを設置して使用しても、設置せずに使用してもよい。
【０１０３】
本発明は、通常の歯内治療が完了した後に行う歯内ポストの設置に使用してもよい。本発明の使用は、特に両手が必要となる移植術における、上側または下側前歯の歯周手術に有益となり得る。
【０１０４】
患者の教育では、鏡を有する実施形態によって、歯石が最も形成される場所のほか、フロッシングやその他の治療の必要性を患者に示すことができる。これにより患者は、最も歯石除去が行われる場所を理解することができ、手技後の視野で歯石除去の結果を観察することができる。鏡を有する本発明の実施形態は、この下側前方領域の歯石除去を行う歯科専門家の視野を拡大する助けとなる。
【０１０５】
口腔全体の歯石の８０％がこれらの下側６本の前歯の舌側面に蓄積することを考えれば、これは特に有用である。本発明は、動きのある大きな筋肉である舌の圧排を助け、この領域に光を反射させるのを助ける。この鏡と舌圧排能によって、歯科専門家は患者の背後や若干側方から作業をすることが可能となり、鏡からの照明により、歯科専門家はこれらの歯牙を直接視認しながら歯石除去を行うことができる。またこれにより、歯科専門家は手が自由になり、必要に応じて吸引チップを把持したり、動かすことができるため、超音波洗浄装置の使用の助けにもなる。
【０１０６】
鏡を有する本発明は、鏡で確認できる歯肉のプロービングにも有用である。これにより歯科専門家は、プローブの印をチェックして記録できるように、通常の口腔用鏡を手にとって近付ける必要がない。歯科専門家はプロービングを行って記録するだけでよく、記録手順を迅速にすることができる。ポケットの深さを記録した後に毎回鏡とペンを手に持ってプロービングを行わなければならない状況を回避するため、プローブとボールペンを使用したこの手順を改善する取組みが行われている。
【０１０７】
本発明は、大きな硬化ライトの先端では到達できない領域（例えば、口腔底付近の下側前方の舌側領域）に硬化ライトを反射させることによって、複合樹脂材の重合硬化で使用してもよい。鏡は、ＬＥＤ硬化ライトをはじめとする比較的先の丸い硬化ライトの先端では到達できないこれらの領域において、材料をより完全に硬化させることを可能にする。
【０１０８】
また、種々の実施形態は、口唇および頬を邪魔にならないように遠くへ保持することによっても有用となる。これは上述の全ての用途で有用となるが、口腔内の頬および口唇の圧排もさらに提供する。
【０１０９】
本発明の翼部は、器具を配置したり動かして、器具を飲み込まないように防止するために使用してもよい。
【０１１０】
本発明の実施形態は、口腔とその組織が特に開口して、乾燥しており、アクセスしやすくなければならないような審美手技（例えば、複数のベニアの接着、ならびに複数の歯列矯正ブラケットおよび器具の設置）を行うために、口唇または頬の圧排を提供することもできる。本発明の実施形態は、舌側領域等の歯科写真撮影との併用が有用な場合もある。
【０１１１】
本発明はその他多くの用途（例えば、患者による自宅または歯科診療所以外のその他の場所での歯石除去器との併用）を有すると考えられる。下側前歯の舌側面は、典型的には歯石の蓄積が最も多くみられる場所であり、通常患者は観察できないため、本発明の実施形態が助けとなり得る。
【０１１２】
さらに、本発明の実施形態は、器具の背面または正面に印刷された広告を含んでもよい。
【０１１３】
図１９Ａ-２３Ｃは、患者の口腔の４分の１または一部のみを分離するよう適合される、本発明の片側咬合ブロックの別の実施形態を示す。これらの実施形態は、患者の口腔の一部または４分の１のみの部分で作業をしている場合に特に有用である。
【０１１４】
図１９Ａおよび１９Ｂは、本発明のこの実施形態の適用を示す。片側咬合ブロック１１０は患者の口腔１２内の位置で示されている。４分の１または片側咬合ブロック１１０は、患者の口腔１２の一部のみまたは片側のみの位置に設置されている。このようにして、上顎または下顎のいずれかの４分の１領域の作業が可能である。翼部１１８の一方は患者の頬側に向けられ、翼部１１８のもう一方は、舌１５が４分の１の作業領域に干渉するのを防ぐため、患者の口腔内部に設置される。この実施形態では、本体部１１６は、人間の歯１４の幅よりわずかに大きい幅または寸法を有している。
【０１１５】
従って本体部１１６のこの寸法は、概して０．２５〜１．００インチまたは０．６３〜２．５４ｃｍである。片側咬合ブロック１１０は、視認性向上のための反射面または鏡面１２６を有する。患者の口腔１２の部分は、歯１４の反射１４’のためにより容易に視認可能となる。片側咬合ブロック１１０の翼部１１８は、折り曲げ線または切り込み線１２０に沿って所望の角度に折り曲げることができる。
【０１１６】
本発明のこの片側咬合ブロックの実施形態は、より簡単に口腔内に挿入され、臼歯もしくはその他の後方の歯、または患者の口腔内のさらに後方の歯へのアクセスが可能となるような位置に設置されてよい。
【０１１７】
図２０Ａ―２０Ｄは、本発明のこの実施形態のより詳細な形状を示す。図２０Ａは、反射面または鏡面１２６を有する片側咬合ブロック１１０の正面を示す。折り曲げ線または切り込み線１２０の間の距離ｄは、以前の実施形態に比べると比較的短く、概して歯の幅よりもわずかに大きく、通常は約０．２５〜１．００インチまたは０．６３〜２．５４ｃｍである。図２０Ｂは、片側咬合ブロック１１０の後面を示す。面１３０は鏡面である必要はないが、反射性のものまたは明るい色としてもよい。片側咬合ブロック１１０は横方向の中心線に沿って対称であるが、縦方向の中心線に沿って非対称である。翼部１１８のローブ１１８Ａは、縦方向の中心線よりさらに下側へ、曲線縁１１８Ｂよりも伸長する。
【０１１８】
これに従い、作業が行われている口腔内の場所に応じて、片側咬合ブロック１１０は、作業中の歯または領域のより良好な分離をローブ１１８Ａが提供できるような位置に設置されうる。ローブ１１８Ａは、作業中の４分の１の領域に応じて、患者の口腔内部により密接に適合するような位置に設置されてよい。
【０１１９】
図２０Ｃは、片側咬合ブロック１１０の複合構造を示す。片側咬合ブロック１１０の構造は、一つの面１２６が反射性または鏡面であり、反対側の面１３０が好ましくは紙による裏材であるが薄いプラスチックでもよい薄い裏材で覆われており、ここに折り曲げ線または切り込み線１２０がつけられるという点において以前の実施形態の構造と類似している。発泡体コア１２８は反射面または鏡面１２６と裏材１３０との間に挟まれている。これが、患者の口腔を開口状態に支持するのに十分に硬い構造をもたらし、さらには使い捨てにできるよう比較的安価に製造可能な、硬くかつ折り曲げ可能な構造がもたらされる。さらに、裏材１３０または発泡体コア１２８は、口腔内の過剰な液体、例えば唾液または血液を吸収できるように吸収性材料で製造されてよい。
【０１２０】
吸収性材料は、綿、吸収紙もしくはボール紙、またはその他の吸収性材料であってよく、吸収を促進する化学的吸収剤または乾燥剤をその内部に含んでよい。吸収剤または乾燥剤は、吸収能または乾燥能を持つあらゆる材料であってよく、例えば、ポリアクリル酸カリウム、ポリアクリル酸ナトリウム、硫酸ナトリウム、シリカゲル、硫酸マグネシウム、硫酸カルシウム、コーンスターチ、塩化カルシウム、塩化ナトリウム、およびその他あらゆる同等の物質、あるいは既知の吸収性もしくは乾燥性材料または化学的乾燥剤などがある。
【０１２１】
図２０Ｅは、翼部１１８が折り曲げ線または切り込み線１２０に沿って折り曲げられた状態の片側咬合ブロック１１０を示す。
【０１２２】
図２１は、端部周囲に緩衝材または吸収性材料１３８が設置された片側咬合ブロックの実施形態を示す。
【０１２３】
図２２は、中心部分に沿って複数の部分的外側切断部１４６を有する片側咬合ブロックの別の実施形態を示す。複数の部分的外側切断部は緩衝作用を提供し、デバイスを患者にとってより快適なものとする。複数の部分的外側切断部１４６は、片側咬合ブロックをよりしっかりと所定の位置に保持できるよう、患者の歯の形状にデバイスの端部を適合させる上でも役に立つ可能性がある。
【０１２４】
図２３Ａ―２３Ｃは、本発明の別の実施形態を示す。この実施形態では、片側咬合ブロック３１０は、横軸と縦軸の両方に沿って対称である。他の実施形態と同様、この実施形態は２つの折り曲げ線または切り込み線３２０がつけられた本体部３１６および翼部３１８を有する。一方の正面３２６は好ましくは反射面または鏡面であり、もう一方の後面３３０はプラスチックまたは紙による裏材で覆われる。この実施形態も、正面の反射面または鏡面３２６と後面または裏材３３０の間に発泡体コア３２８が挟まれた複合構造を用いている。
【０１２５】
図１９Ａ-２３Ｃで示した実施形態は、以前の実施形態について示された利点を有するものであるが、口腔内により容易に挿入でき、口腔の４分の１または一部のみに対して作業が行えるよう、さらに後方へ設置できるというさらなる利点を提供することは容易に理解されるであろう。従って本発明のこの実施形態の片側咬合ブロックは、より簡単に使用でき、患者にとってより快適性の高いものとなる可能性がある。
【０１２６】
以上において本発明を複数の実施形態の観点から説明してきたが、本発明の趣旨または適用範囲から逸脱することなく種々の改変が行われる場合があることが理解されるであろう。
【図１Ａ】
2013526966.tif 000003
【図１Ｂ】
2013526966.tif 000004
【図２Ａ】
2013526966.tif 000005
【図２Ｂ】
2013526966.tif 000006
【図２Ｃ】
2013526966.tif 000007
【図３】
2013526966.tif 000008
【図４Ａ】
2013526966.tif 000009
【図４Ｂ】
2013526966.tif 000010
【図４Ｃ】
2013526966.tif 000011
【図４Ｄ】
2013526966.tif 000012
【図５】
2013526966.tif 000013
【図６】
2013526966.tif 000014
【図７】
2013526966.tif 000015
【図８】
2013526966.tif 000016
【図９】
2013526966.tif 000017
【図１０】
2013526966.tif 000018
【図１１】
2013526966.tif 000019
【図１２】
2013526966.tif 000020
【図１３】
2013526966.tif 000021
【図１４】
2013526966.tif 000022
【図１５】
2013526966.tif 000023
【図１６】
2013526966.tif 000024
【図１７】
2013526966.tif 000025
【図１８】
2013526966.tif 000026
【図１９Ａ】
2013526966.tif 000027
【図１９Ｂ】
2013526966.tif 000028
【図２０Ａ】
2013526966.tif 000029
【図２０Ｂ】
2013526966.tif 000030
【図２０Ｃ】
2013526966.tif 000031
【図２０Ｄ】
2013526966.tif 000032
【図２０Ｅ】
2013526966.tif 000033
【図２１】
2013526966.tif 000034
【図２２】
2013526966.tif 000035
【図２３Ａ】
2013526966.tif 000036
【図２３Ｂ】
2013526966.tif 000037
【図２３Ｃ】
2013526966.tif 000038
【国際調査報告】
2013526966.tif 000039